【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
減圧処理システムにおいて、
組織部位に設けられるマニホールドと、
収集チャンバー、前記マニホールドと流体連結する流入口、および、流出口を有する収集容器と、
前記収集容器の前記流出口に流体連結され、前記組織部位からの流体を収集チャンバーに流すように、前記収集チャンバーおよび前記組織部位に減圧を与える減圧源と、
前記流出口に取り付けられ、液体が前記収集チャンバーから前記流出口を介して流出するのを防止する液体空気セパレーターと、
前記収集容器内に設けられ、前記収集容器に流入する液体を偏向させ、前記液体空気セパレーターが早期に目詰まりするのを防ぐバッフルとを具え、
前記バッフルは、偏向板を具え、
流体が前記収集チャンバーに流入する時に形成される泡を破裂させるために、少なくとも１つの膨出部が前記偏向板に配置されていることを特徴とする減圧処理システム。
【請求項２】
請求項１に記載の減圧処理システムにおいて、前記バッフルは、前記流入口と前記流出口との間で湾曲路を形成することを特徴とする減圧処理システム。
【請求項３】
請求項１に記載の減圧処理システムにおいて、前記バッフルは、前記収集容器の滴形成領域と前記流出口との間が直線的になるのを防ぐようになっていることを特徴とする減圧処理システム。
【請求項４】
請求項１に記載の減圧処理システムにおいて、前記バッフルはスクリーンであることを特徴とする減圧処理システム。
【請求項５】
請求項１に記載の減圧処理システムにおいて、前記バッフルは、前記液体空気セパレーターの下方へ延びる偏向板を有していることを特徴とする減圧処理システム。
【請求項６】
請求項１に記載の減圧処理システムにおいて、前記流出口および前記液体空気セパレーターを、前記収集チャンバーの流出壁に設けてあることを特徴とする減圧処理システム。
【請求項７】
請求項６に記載の減圧処理システムにおいて、前記バッフルは、前記収集容器の水平液体ラインに対し角度付けされて前記収集容器に取り付けられる偏向板を有し、前記偏向板に当たる流体は偏向されて前記流出壁から遠ざかるようになっていることを特徴とする減圧処理システム。
【請求項８】
請求項１に記載の減圧処理システムにおいて、前記液体空気セパレーターは疎水性フィルターであることを特徴とする減圧処理システム。
【請求項９】
減圧処理システムで用いられる収集容器において、
前記収集容器は、
収集チャンバーと、
組織部位に流体連結される流入口と、
減圧源に流体連結される流出口と、
前記流出口に隣接して設けられる液体空気セパレーターと、
前記収集容器内に設けられ、前記収集容器に流入する液体を偏向させて、前記液体空気セパレーターが早期に目詰まりするのを防ぐバッフルとを具え、
前記バッフルは、偏向板を具え、
流体が前記収集チャンバーに流入する時に形成される泡を破裂させるために、少なくとも１つの膨出部が前記偏向板に配置されていることを特徴とする収集容器。
【請求項１０】
請求項９に記載の収集容器において、前記バッフルは、前記流入口と前記流出口との間に湾曲路を形成することを特徴とする収集容器。
【請求項１１】
請求項９に記載の収集容器において、前記バッフルは、前記収集容器の泡破裂領域と前記流出口との間が直線的になるのを防ぐようになっていることを特徴とする収集容器。
【請求項１２】
請求項９に記載の収集容器において、前記バッフルはスクリーンであることを特徴とする収集容器。
【請求項１３】
請求項９に記載の収集容器において、前記バッフルは、前記液体空気セパレーターの下方へ延びる偏向板を有していることを特徴とする収集容器。
【請求項１４】
請求項９に記載の収集容器において、前記流出口および前記液体空気セパレーターを、前記収集チャンバーの流出壁に設けてあることを特徴とする収集容器。
【請求項１５】
請求項１４に記載の収集容器において、前記バッフルは、前記収集容器の水平液体ラインに対し角度付けされて前記収集容器に取り付けられる偏向板を有し、前記偏向板に当たる流体は偏向されて前記流出壁から遠ざがるようになっていることを特徴とする収集容器。
【請求項１６】
減圧処理システムで用いられる収集容器において、
前記収集容器は、
収集チャンバーと、
前記収集チャンバーの上方に設けられた流入チャンバーと、前記流入チャンバーは、流入壁部により画定される開口端部および閉口端部と、前記流入チャンバーと前記収集チャンバーとを仕切る仕切り部とを具え、前記仕切り部は、前記流入チャンバーと前記収集チャンバーとを連通させる開口部を有しており；
前記流入チャンバーの流入壁部に設けられ、組織部位に流体連結される流入口と、
前記収集チャンバーと連通し、減圧源に流体連結される流出口と、
前記流出口に隣接して設けられ、液体が前記流出口を介して前記収集チャンバーから流出するのを防ぐ疎水性フィルターと、
ベースおよび偏向板を有するバッフルと、前記ベースは、前記流入チャンバーの開口部を介して前記流入チャンバーに取り外し可能に取り付けられ；を具え、
前記バッフルの前記偏向板は、前記流入口を介して前記流入チャンバーに流入する液体を偏向させて、前記疎水性フィルターが早期に目詰まりするのを防ぐようになっており、
流体が前記収集チャンバーに流入する時に形成される泡を破裂させる少なくとも１つの膨出部を偏向板に設けてあることを特徴とする収集容器。
【請求項１７】
請求項１６に記載の収集容器において、前記バッフルは、前記収集容器の前記流入チャンバーと前記流出口との間に湾曲路を形成することを特徴とする収集容器。
【請求項１８】
請求項１６に記載の収集容器において、前記バッフルは、前記流入チャンバーの開口部と前記収集容器の流出口との間が直線的になるのを防ぐようになっていることを特徴とする収集容器。
【請求項１９】
請求項１６に記載の収集容器において、前記バッフルはスクリーンであることを特徴とする収集容器。
【請求項２０】
請求項１６に記載の収集容器において、前記偏向板は前記疎水性フィルターの下方へ延びていることを特徴とする収集容器。
【請求項２１】
請求項１６に記載の収集容器において、前記流出口および前記疎水性フィルターを、前記流入チャンバーの流入壁部と対応する収集チャンバーの流出壁に設けてあることを特徴とする収集容器。
【請求項２２】
請求項２１に記載の収集容器において、前記偏向板は、前記ベースに対して角度付けされており、前記偏向板に当たる流体は前記流出壁から遠ざかるようになっていることを特徴とする収集容器。
【請求項２３】
請求項２１に記載の収集容器において、前記流出口および前記疎水性フィルターを、前記流入チャンバーの仕切り部の下方に設けてあることを特徴とする収集容器。
【請求項２４】
請求項１６に記載の収集容器において、前記開口部はスロットであることを特徴とする収集容器。
【請求項２５】
請求項１６に記載の収集容器において、
前記バッフルは、前記流入チャンバーの開口部と前記収集容器の流出口との間が直線的になるのを防ぎ、
前記流出口および前記疎水性フィルターを、前記流入チャンバーの前記流入壁部と対向して前記流入チャンバーの仕切り部の下方で前記収集チャンバーの流出壁に設け、
前記偏向板は、前記疎水性フィルターの下方へ延びていることを特徴とする収集容器。
【請求項２６】
減圧処理システムに用いられる収集容器において、
前記収集容器は、
収集チャンバーと、
組織部位に流体連結される流入口と、
減圧源に流体連結される流出口と、
前記流出口と隣接して設けられる液体空気セパレーターと、
前記収集容器内に設けられ、前記収集容器内で破裂した泡からの滴または霧を受けるバッフルとを具え、
前記バッフルは、偏向板を具え、
流体が前記収集チャンバーに流入する時に形成される泡を破裂させるために、少なくとも１つの膨出部が前記偏向板に配置されていることを特徴とする収集容器。
【請求項２７】
請求項２６に記載の収集容器において、前記バッフルを滴形成領域と前記流出口との間に設けてあることを特徴とする収集容器。
【請求項２８】
請求項２６に記載の収集容器において、
前記泡は前記収集容器の滴形成領域で破裂し、
前記バッフルを前記滴形成領域と前記流出口との間に設けてあることを特徴とする収集容器。